(57)【要約】【課題】包装箱から缶製品をより安全に取り出すことができ、かつ取り出し容易性の向上が図られるマルチパック用包装箱を提供する。【解決手段】本発明のマルチパック用包装箱は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されており、前記上面板は、前記開口部側において、容器の天面蓋の一部が覗くように切り欠き部が形成される。【選択図】  図２
2004161337.tif 000002
【特許請求の範囲】
【請求項１】
複数個を並列に配置された容器群の上面を覆う上面板と、
この上面板の両側部に連接され並列された各容器の側面を覆う側面板と、
これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されるマルチパック用包装箱において、
前記上面板は、前記開口部側において、容器の天面蓋の一部が覗くように切り欠き部が形成されていることを特徴とするマルチパック用包装箱。
【請求項２】
前記切り欠き部は、前記開口部から覗く容器の数に対応して同じ個数形成される請求項１に記載のマルチパック用包装箱。
【請求項３】
前記切り欠き部は、切り欠き開始の基点同士を結んだ直線に対して、切り欠き最大奥行き長さが少なくとも３ｍｍ以上存在する請求項１または請求項２に記載のマルチパック用包装箱。
【請求項４】
前記切り欠き開始の基点同士を結んだ直線の長さが１つの容器の幅と同等又は小さい寸法である請求項３に記載のマルチパック用包装箱。
【請求項５】
前記切り欠き開始の基点同士を結んだ直線の長さが６〜６０ｍｍの範囲にあり、切り欠き最大奥行き長さが３〜３０ｍｍの範囲にある請求項４に記載のマルチパック用包装箱。
【請求項６】
前記切り欠き部が湾曲形状をなす請求項１ないし請求項５のいずれかに記載のマルチパック用包装箱。
【請求項７】
前記切り欠き部は、前記開口部から覗く容器群のすべてについて各天面蓋の一部が覗くように一体的に切り欠き形成される請求項１に記載のマルチパック用包装箱。
【請求項８】
前記切り欠き開始の基点同士を結んだ直線の長さが前記開口部から覗く容器群の全幅総和の範囲にあり、切り欠き最大奥行き長さが３〜３０ｍｍの範囲にある請求項７に記載のマルチパック用包装箱。
【発明の詳細な説明】
【０００１】
【発明の属する技術分野】
本発明は、例えば缶ビールや缶ジュース等の一定数量の容器を並列した状態のまま包装するマルチパック用包装箱に関する。
【０００２】
【従来の技術】
【特許文献１】特開２００１−２３３３７８号公報
従来から、缶ビールや缶ジュース等の複数個の容器を複数個一列あるいは複数列で起立させた状態のまま整列させて置き、つぎに容器の上部、側部および下部を包み込むようにして包装した紙製のマルチパック用包装箱が使用されている。
【０００３】
このようなマルチパック用包装箱の使用により、複数個の缶ビールや缶ジュース等を１個の包装体にまとめて一度にかつ簡易に持ち運ぶことができるようになり、さらに、纏め売りの効果も相俟って当該マルチパック用包装箱の使用が近年急速に拡大しつつある。
【０００４】
このようなマルチパック用包装箱に収納された缶ビール等は、例えば卸元から小売店等に引き渡す場合には、通常１個の出荷カートンケース内に手前側の開口部のフラップを開き、この開口部からマルチパック用包装箱４個を２列２行に収納して搬出するようにしている。
【０００５】
【発明が解決しようとする課題】
従って、小売店等においては、出荷カートンケース内に納められたマルチパック用包装箱を個々に引き出す作業が必要となる。そして、引き出されたマルチパック用包装箱は、（１）小売店でさらにマルチパック用包装箱からその中に収納されている缶製品を取り出してばら売りに供されたり、（２）飲食のために、購入した消費者の手によりマルチパック用包装箱から缶製品が取り出されたりする。
【０００６】
また、出荷カートンケース単位で消費者による購入がされることが多くなった昨今、時として、出荷カートンケース内に納められたままになっているマルチパック用包装箱から直接缶製品を１缶ずつ取り出すような操作も行なわれているとも言われている。
【０００７】
いずれにせよ現状の紙製マルチパック用包装箱から缶製品を１缶ずつ取り出す手法としてはさまざまの手法を取ることが可能である。その一つとして、マルチパック用包装箱の側面板が存在しない両端開口部の一方から手指を挿入して缶製品の天面蓋の周縁部に形成されているリング状突起に指先端を引っ掛けて缶製品を無理やり引き出す方法が行なわれる場合がある。このような場合には、爪の間に包装箱カートンが突き刺さって指先を怪我をするおそれがある。また、缶製品の引き出しは、出来るだけ簡易にスムーズに行なわれることが望ましい（取り出し容易性の向上）。
【０００８】
このような実状のもとに本発明は創案されたものであり、その目的は、上記の問題点を解決し、マルチパック用包装箱から缶製品をより安全に取り出すことができ、かつ取り出し容易性の向上が図られる（マルチパック用包装箱に入っている時は容易に飛び出さず、いざ取り出そうとするときには比較的簡単に取り出すことができる）マルチパック用包装箱を提供することにある。
【０００９】
【課題を解決するための手段】
上記課題を解決するために本発明は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されるマルチパック用包装箱において、前記上面板は、前記開口部側において、容器の天面蓋の一部が覗くように切り欠き部が形成されているように構成される。
【００１０】
本発明の好ましい態様として、前記切り欠き部は、前記開口部から覗く容器の数に対応して同じ個数形成される。
【００１１】
本発明の好ましい態様として、前記切り欠き部は、切り欠き開始の基点同士を結んだ直線に対して、切り欠き最大奥行き長さが少なくとも３ｍｍ以上存在するように構成される。
【００１２】
本発明の好ましい態様として、前記切り欠き開始の基点同士を結んだ直線の長さが１つの容器の幅と同等又は小さい寸法であるように構成される。
【００１３】
本発明の好ましい態様として、前記切り欠き開始の基点同士を結んだ直線の長さが６〜６０ｍｍの範囲にあり、切り欠き最大奥行き長さが３〜３０ｍｍの範囲にあるように構成される。
【００１４】
本発明の好ましい態様として、前記切り欠き部が湾曲形状をなすように構成される。
【００１５】
本発明の好ましい態様として、前記切り欠き部は、前記開口部から覗く容器群のすべてについて各天面蓋の一部が覗くように一体的に切り欠き形成される。
【００１６】
本発明の好ましい態様として、前記切り欠き開始の基点同士を結んだ直線の長さが前記開口部から覗く容器群の全幅総和の範囲にあり、切り欠き最大奥行き長さが３〜３０ｍｍの範囲にあるように構成される。
【００１７】
【発明の実施の形態】
以下、本発明のマルチパック用包装箱１の具体的実施の形態の一例（第１実施形態）について、図１〜図４を参照しつつ説明する。
【００１８】
第１実施形態の説明
図１は、本発明のマルチパック用包装箱１の展開図の一例を示したものであり、図２は、図１に示されるように展開された箱オリジナル紙を組み立てた斜視図であり、中に缶ビールで代表される缶容器が収納されている。図３は、図２を上方から見た平面図である。図４は、マルチパック用包装箱を４個、出荷カートンケース内に納めた状態を模式的に示した概略斜視図である。
【００１９】
本発明における実施の形態として、缶ビールを６個収納することができる一般的なマルチパック用包装箱１を一例にとって説明する。
【００２０】
本発明のマルチパック用包装箱１は、図１に示される展開シート（パック用シート）を組み立てることによって形成することができ、展開シートは、図１に示されるごとく横長の略矩形形状をなしている。
【００２１】
図１に示される展開シートにおいて、その中央部は上面板２を構成し、その両端にそれぞれ側面板３，４が連接されている。そして、側面板３の先端側となる図面の左側部分には底面板５が形成され、側面板４の先端側となる図面の右側部分には底面板６がそれぞれ形成されている。
【００２２】
上面板２は、直列３個を並列２列に起立状態に整列させた缶ビール６個の上面を覆うように、図面の縦辺１ａ方向にはビール缶３缶分、横片１ｂ方向にはビール缶２缶分の長さからなる面積を備えている。上面板２の両側には缶ビールの側部を覆うようにその高さに相当する側面板３，４がそれぞれ境界線をなす折り線２ａ，２ｂを介して連設されている。
【００２３】
底面板５，６には先端部で互いに係着し得る雌側の係止部７（底面板５側）および雄側の係止部８（底面板６側）がそれぞれ形成されている。
【００２４】
図面の左側に位置している底面板５側の係止部７は、先端部を形成する展開シートの一方の縦辺１ａに平行な第１係止部７ａと、その内側に同じく縦辺１ａに平行に設けられた第２係止部７ｂとから構成されている。これら第１係止部７ａ、および第２係止部７ｂは、縦辺１ａの中央とその両端側の３箇所にそれぞれ設けられている。
【００２５】
この実施形態では、第１係止部７ａの形状は切り抜かれた縦長の略四角孔となっていて、その孔の一辺ａが係合部に形成され、第２係止部７ｂの形状は切り込みとなっている。
【００２６】
これに対し、図面の右側に位置している底面板６側の雄側の係止部８は、前記第１係止部７ａおよび第２係止部７ｂとにそれぞれ係着し得るように形成された第１係止部８ａおよび第２係止部８ｂとから構成されている。
【００２７】
この実施の形態では、第１係止部８ａの形状は、縦辺１ａに平行な直線で中央が内側に凹部ｂとなる切り込みとなっている。第２係止部８ｂの形状は第１係止部８ａの幅から縦辺１ａの外側へ先細りとなって首部ｄに至り、これに続く先端は首部ｄより幅のある頭部ｃとして形成されている。
【００２８】
また、前記側面板３，４の横辺１ｂ側の各端部には、内側に折り込んで前記上面板２および底面板５，６の隅部との間にビール缶の脱落を防止するためのガゼット１０ａ，１０ｂを構成する折り込み片９が境界線をなす折り線３ｂ，４ｂを介して連設されている。なお、ガゼット１０ａ，１０ｂの状態は図２に分かりやすく示されている。この折り込み片９の折り目３ｂ、４ｂには、内側に折り易くするために切り込みを入れても良い。
【００２９】
このような底面板５，６を係着することにより、缶ビール等の容器１９群を包むように収納できるマルチパック用包装箱１が組立てられる。そして、図２に示されるようにマルチパック用包装箱１の側面板３，４が存在しない両端部において容器群の一部の側面が覗く開口部Ｐがそれぞれ形成される。
【００３０】
本発明における上面板２は、その開口部Ｐ側において、容器の天面蓋９０の周縁に形成されているリング状突起９５の一部が覗くように切り欠き部５０が形成されている（図１、図２参照）。
【００３１】
このような切り欠き部５０は、図３に示されるように（４つの切り欠き部の内、右側上部に位置するの切り欠き部を代表として記載している）切り欠き開始の基点５１ａ，５１ｂ同士を結んだ直線Ｌに対して、切り欠き最大奥行き長さＧが少なくとも３ｍｍ以上（特に、３〜３０ｍｍ）、より好ましくは８〜１２ｍｍとなるように設定することが望ましい。缶製品の引き出しが出来るだけ簡易にかつ容易に行えるようにするためである（取り出し容易性の向上）。
【００３２】
前記切り欠き開始の基点５１ａ，５１ｂ同士を結んだ直線の長さＬは１つの容器の幅と同等又は小さい寸法に設定される。より具体的には、６〜６０ｍｍ、好ましくは１６〜２４ｍｍの範囲に設定することが望ましい。缶製品の引き出しスペースを充分に確保して取り出し容易性の向上を図るためである。
【００３３】
なお、切り欠き最大奥行き長さＧが３０ｍｍを超えると、例えば、缶製品を引っかけることにより生じる不意の缶の落下や、缶蓋とタブの間に板紙が挟まれるという不都合が生じ得る。また、切り欠き開始の基点５１ａ，５１ｂ同士を結んだ直線の長さＬが６０ｍｍを超えると、同じく缶の落下等の不都合が生じ得る。
【００３４】
このような切り欠き部５０の形状は、湾曲形状をなすことが特に好ましく、当該切り欠き部５０の個数は、開口部Ｐから覗く容器の数に対応して同じ個数形成されることが望ましい。
【００３５】
上記直線の長さＬおよび切り欠き最大奥行き長さＧの設定は、図５に示される冶具にロードセルを連結した取り出し装置を用いて行なった。すなわち、冶具の先端のフック部を容器の天面蓋９０のリング状突起９５に引っ掛けて１つの缶を取り出す際の取り出し力を測定し（容器内のホールド性もある程度考慮）、上記の最適値を設定したものであり、上記の範囲内にて特別顕著な効果（極めて顕著な取り出し容易性および安全性）が発現することが確認されている。
【００３６】
なお、図１における、符号１３はコンプレッションホール（６箇所）、符号１４ａは山折り線、符号１４ｂは谷折り線をそれぞれ表している。さらに符号１５ａはトップガゼットホール（４箇所）、符号１５ｂはボトムガゼットホール（４箇所）、符号１６はフィンガーホール（２箇所）、符号１７は切り取り線、符号１８はロット確認窓をそれぞれ表している。
【００３７】
次に具体的包装作用の一例を説明する。まず、図１に示されるパック用シートを裏返して、その上面板２の部分の上部に缶ビール６本の底部を上向きとして直列した３缶を２列に並列させて載置する。
【００３８】
その上で、缶ビールの側部を覆うように側面板３，４を折り線２ａ，２ｂを境界線として内側に折り、さらに缶ビールの底部を覆うように底面板５および６を折り線３ａ，４ａを境界線として内側に折り、底面板６の縦辺１ａに設けられている雄側の第２係止部８ｂを頭部ｃから底面板５側の縦辺１ａ方向に設けられている雌側の第１係止部７ａの孔を通して第２係止部７ｂと互いに係着させて第１係止部８ａの首部ｄで抜け止めするとともに、雄側の第１係止部８ａの凹部ｂを雌側の第１係止部７ａの横長の四角孔を形成する一辺ａに係着させることによりパック用シート１は無端状態に形成されて缶ビールに帯がかかった状態の缶入りマルチパック用包装箱となる。
【００３９】
このとき、各折り込み片９が内側に折り込まれると上面板２と側面板３，４との隅部にトップガゼット１０ａが、また側面板３，４を底面板５，６との隅部にボトムガゼット１０ｂがそれぞれ形成され、マルチパック用包装箱１に包装された缶ビールの抜け止めがなされる。
【００４０】
このパック用シート１を上面板２面が上になるように反転させると図２に示されるような斜視図の形態となる。図３は、図２の平面図であり、これらの図面から分かるように、缶ビールの天面蓋９０の周縁に形成されているリング状突起９５の一部は、上面板２の開口部Ｐ側に形成された切り欠き部５０の箇所で覗いている。本発明では、切り欠き部５０の設計を最適条件に設定しているために、覗いているリング状突起９５の一部を指先端に引っ掛けて引っ張ることにより、容易に缶ビールを取り出すことができる。
【００４１】
図４は、図２のような缶入りマルチパック用包装箱１を内装するカートンケース２０の斜視図を示すものであり、この中には缶入りマルチパック用包装箱が直列および並列に４個収納される大きさとなっている。缶入りマルチパック用包装箱４個を収納するときには短手側面の上下・左右のフラップ２０ａ，２０ｂを開いて図４のようにした後に、フラップ２０ａ，２０ｂをそれぞれ閉じて収納を完了させる。
【００４２】
第２実施形態の説明
次に、本発明のマルチパック用包装箱１の他の具体的実施の形態の一例（第２実施形態）について、図６を参照しつつ説明する。
【００４３】
図６は、本発明のマルチパック用包装箱の展開図のうち要部となる上面板２´（第２実施形態）を示したものである。第２実施形態において、上面板２´以外の形態は、前述した第１実施形態の展開図（図１）と同じである。
【００４４】
第２実施形態が前述した第１実施形態と異なるのは、図６に示されるように、上面板２´の開口部Ｐ側に形成される切り欠き部５０の基本形態にある。すなわち、第２実施形態における切り欠き部５０は、開口部Ｐから覗く容器の数に対応してその数と同数設けられているのではなく、開口部Ｐから覗く容器群のすべてについて各天面蓋の一部が覗くように一体的に切り欠き形成されている点にある。「一体的に切り欠き形成されている」とは、形態的に纏まった１つの切り欠きとして形成された切り欠きをいう。
【００４５】
図６において、切り欠き開始の基点５２ａ，５２ｂ同士を結んだ直線の長さＬは、開口部Ｐから覗く容器群の全幅総和の範囲内（図３のごとく缶容器配置であれば２缶分幅の範囲内）であり、かつ開口部Ｐから覗く容器群のすべてについて各天面蓋の一部が覗くことが可能な長さとされる。さらに切り欠き最大奥行き長さＧは、３ｍｍ以上（３〜３０ｍｍ）、特に８〜１２ｍｍとなるように設定することが望ましい。上記直線の長さＬおよび切り欠き最大奥行き長さＧの設定は、前述したように図５に示される冶具にロードセルを連結した取り出し装置を用いて行なった。
【００４６】
なお、本発明における実施形態ではビール缶の包装を例にとって説明したが、このものに限定されるものではない。例えば、ジュース缶、その他の各種缶製品にも適用できることは勿論のことである。
【００４７】
【発明の効果】
本発明のマルチパック用包装箱は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されており、前記上面板は、前記開口部側において、容器の天面蓋の一部が覗くように切り欠き部が形成されているので、マルチパック用包装箱から缶製品をより安全に取り出すことができ、かつ取り出し容易性の向上が図られる。すなわち、包装箱に入っている時は容易に飛び出さず、いざ取り出そうとするときには比較的簡単に取り出すことができる。
【図面の簡単な説明】
【図１】本発明のマルチパック用包装箱の展開図の一例（第１実施形態）を示したものである。
【図２】図１に示される展開された箱オリジナル紙を組み立てた斜視図である。
【図３】図２を上方から見た平面図である。
【図４】マルチパック用包装箱を４個、出荷カートンケース内に納めた状態を模式的に示した概略斜視図である。
【図５】冶具にロードセル連結した取り出し装置の概略図および測定状況の概略を示す図面である。
【図６】本発明のマルチパック用包装箱の展開図の要部（第２実施形態）を示したものである。
【符号の説明】
１…マルチパック用包装箱
２…上面板
３，４…側面板
５，６…底面板
５０…切り欠き部
Ｐ，Ｐ…開口部
【図１】
2004161337.tif 000003
【図２】
2004161337.tif 000004
【図３】
2004161337.tif 000005
【図４】
2004161337.tif 000006
【図５】
2004161337.tif 000007
【図６】
2004161337.tif 000008